(57)【要約】【課題】  袖門を有する伸縮門扉の門装置において、門柱内に伸縮門扉を収納できると共に、門柱の開口部を閉じる扉を別に設けることなく門柱の開口部を閉じることができる門装置を提供する。【解決手段】  本発明の門装置１において、開き門扉７は伸縮門扉５の一端部５ａに対して回転自在に連結してあり、展開した伸縮門扉５と開き門扉７とで門柱３と支柱間の出入口１３を閉鎖自在としてあり、門柱３は内部に伸縮門扉５の収納空間を有し且つ支柱側面には伸縮門扉５を出し入れする開口部１５を有し、伸縮門扉５は他端部５ｂを門柱３内に支持してあり、且つ門柱３の開口から支柱側に展開自在となっており、縮めた伸縮門扉５を門柱３内に収納した状態で開き門扉７が門柱３の開口部１５を閉鎖自在としてある。【選択図】      図１
2005336991.tif 000002
【特許請求の範囲】
【請求項１】
門柱と、伸縮門扉と、開き門扉と、支柱とを備え、開き門扉は伸縮門扉の一端部に対して回転自在に連結してあり、展開した伸縮門扉と開き門扉とで門柱と支柱間の出入口を閉鎖自在としてあり、門柱は内部に伸縮門扉の収納空間を有し且つ支柱側面には伸縮門扉を出し入れする開口部を有し、伸縮門扉は他端部を門柱内に支持してあり、且つ門柱の開口から支柱側に展開自在となっており、縮めた伸縮門扉を門柱内に収納した状態で開き門扉が門柱の開口部を閉鎖自在としてあることを特徴とする門装置。
【請求項２】
伸縮門扉の道路側と家側との間の略中心位置を門柱内で支持してあり、開き門扉は伸縮門扉の伸縮方向と略直角な位置に回転した状態で道路側と家側との間の中心位置が伸縮門扉の道路側と家側との間の中心位置と略一致しており、開き門扉には展開した状態で道路側面に引手が設けられていることを特徴とする請求項１に記載の門装置。
【請求項３】
開き門扉の支柱側竪框には鍵が設けてあり、門柱の開口部と支柱には共通の鍵受けが設けてあることを特徴とする請求項１又は２に記載の門装置。
【請求項４】
支柱は複数あり、各支柱は門柱に対して異なる側に設けてあり、門柱の開口部と、伸縮門扉と、開き門扉は支柱の数と同数設けてあり、縮めた各伸縮門扉を門柱内に収納して門柱の各開口部を各々開き門扉で閉鎖自在としてあることを特徴とする請求項１〜３のいずれか一項に記載の門装置。
【発明の詳細な説明】
【技術分野】
【０００１】
本発明は、伸縮門扉と開き門扉を備える門装置に関するものである。
【背景技術】
【０００２】
特許文献１には、門柱の内部に伸縮門扉の収納空間を設け、門柱内に伸縮門扉の一端部を支持して門柱の一側面に設けた開口部から収納空間の伸縮門扉を引き出して伸縮門扉を展開し、伸縮門扉を縮めて門柱内に伸縮門扉を収納することが開示されている。
【０００３】
【特許文献１】特開２００１−２４８３７３号公報
【発明の開示】
【発明が解決しようとする課題】
【０００４】
しかし、上述した特許文献１に開示の技術には、伸縮門扉を門柱に収納した後に門柱の開口部を閉じる扉がない。
一方、伸縮門扉の門の横に袖門を設ける場合がある。
このような伸縮門扉と袖門を有する門装置において、門柱の内部に伸縮門扉を縮めて収納して門柱の開口部を扉で閉じる場合、袖門の扉の他に門柱の開口部を閉じる扉が別に必要になる。
そこで、本発明は、袖門を有する伸縮門扉の門装置において、門柱内に伸縮門扉を収納できると共に、門柱の開口部を閉じる扉を別に設けることなく門柱の開口部を閉じることができる門装置の提供を目的とする。
【課題を解決するための手段】
【０００５】
請求項１に記載の発明は、門柱と、伸縮門扉と、開き門扉と、支柱とを備え、開き門扉は伸縮門扉の一端部に対して回転自在に連結してあり、展開した伸縮門扉と開き門扉とで門柱と支柱間の出入口を閉鎖自在としてあり、門柱は内部に伸縮門扉の収納空間を有し且つ支柱側面には伸縮門扉を出し入れする開口部を有し、伸縮門扉は他端部を門柱内に支持してあり、且つ門柱の開口から支柱側に展開自在となっており、縮めた伸縮門扉を門柱内に収納した状態で開き門扉が門柱の開口部を閉鎖自在としてあることを特徴とする。
【０００６】
請求項２に記載の発明は、請求項１に記載の発明において、伸縮門扉の道路側と家側との間の略中心位置を門柱内で支持してあり、開き門扉は伸縮門扉の伸縮方向と略直角な位置に回転した状態で道路側と家側との間の中心位置が伸縮門扉の道路側と家側との間の中心位置と略一致しており、開き門扉には展開した状態で道路側面に引手が設けられていることを特徴とする。
【０００７】
請求項３に記載の発明は、請求項１又は２に記載の発明において、開き門扉の支柱側竪框には鍵が設けてあり、門柱の開口部と支柱には共通の鍵受けが設けてあることを特徴とする。
【０００８】
請求項４に記載の発明は、請求項１〜３のいずれか一項に記載の発明において、支柱は複数あり、各支柱は門柱に対して異なる側に設けてあり、門柱の開口部と、伸縮門扉と、開き門扉は支柱の数と同数設けてあり、縮めた各伸縮門扉を門柱内に収納して門柱の各開口部を各々開き門扉で閉鎖自在としてあることを特徴とする。
【発明の効果】
【０００９】
請求項１に記載の発明では、門の出入口を開けるときには、伸縮門扉を縮めるとともに開き門扉を門柱側に寄せて、縮めた伸縮門扉を門柱の収納空間に収納した後、開き門扉を略直角の位置に回転して門柱の開口部を閉じる。
門の出入口を閉じるときには、門柱の開口部から開き門扉を開けて伸縮門扉を引き出す。門の出入口は伸縮門扉を展開して閉じると共に、伸縮門扉の横には開き門扉と支柱とからなる袖門が設けられる。
したがって、本発明によれば、開き門扉を利用して門柱の開口部を閉じているから、門柱の開口部を閉じる扉を別に設けなくても門柱の開口部を閉じることができる。
しかも、門を閉じた状態では、伸縮門扉で閉じる門の横に袖門を設けることができる。
【００１０】
請求項２に記載の発明は、請求項１に記載の作用効果を奏すると共に、伸縮門扉の道路側と家側との間の略中心位置を門柱内で支持してあり、開き門扉は伸縮門扉の伸縮方向と略直角な位置に回転した状態で道路側と家側との間の中心位置が伸縮門扉の道路側と家側との間の中心位置と略一致しているので、門の出入口を閉じるときに門柱から伸縮門扉や開き門扉を引き出すときに伸縮門扉や開き門扉のふらつきを防止でき安定であるから、開き門扉に設けた引手を持って門柱から伸縮門扉及び開き門扉を容易に引き出して展開できる。
【００１１】
請求項３に記載の発明は、請求項１又は２に記載の作用効果を奏すると共に、開き門扉の鍵を門柱の開口部を閉じるときと、袖門を閉じるときとに共通して用いることができ、部品点数を少なくできる。
【００１２】
請求項４に記載の発明は、請求項１〜３のいずれか一項に記載の作用効果を奏すると共に、門の出入口が複数ある場合にも、各出入口を閉鎖自在としている各伸縮門扉を一つの門柱内に収めているので、コンパクトな構成にできる。
【発明を実施するための最良の形態】
【００１３】
以下に、添付図面を参照して本発明の実施の形態を詳細に説明するが、まず図１〜図３を参照して本発明の第１実施の形態を説明する。図１（ａ）は第１実施の形態にかかる門装置の横断面図であり、（ｂ）は伸縮門扉を門柱内に収納した状態における門柱の横断面図であり、図２は図１（ａ）のＡ−Ａ断面図であり、図３は図１（ｂ）のＢ−Ｂ断面図である。
本実施の形態にかかる門装置１は、門柱３と、伸縮門扉５と、開き門扉７と、支柱９とを備えており、開き門扉７と支柱９とで袖門８を構成するようになっている。この門装置１では、開き門扉７は伸縮門扉５の一端部５ａに対して回転自在に連結してあり、展開した伸縮門扉５と開き門扉７とで門柱３と支柱９間の出入口（門の出入口）１３を閉鎖自在としてある。
門柱３は、内部に伸縮門扉５の収納空間１１を有すると共に、門の出入口１３側にある一側面３ａには収納空間１１と外部を連通する開口部１５が設けてある。開口部１５には鍵受け１８が取り付けられており、後述する開き門扉７の鍵３５を受けるようになっている。収納空間１１の上部には伸縮門扉５の引き出し方向と略平行なレール２１が設けてある。
また、収納空間１１内には支持部材１７が設けてあり、支持部材１７の車輪１８がレール２１に係合して吊り下げてあり、支持部材１７はレール２１に沿って、開口部１５と開口部１５の奥側の内壁１９との間を移動自在になっている。尚、レール２１の長手方向両端にはストッパが設けてあり、レール２１の両端で支持部材１７の移動を制限してある。
支持部材１７はパネルであり、開口部１５側に移動したときに開口部１５を塞ぐようになっている。
支持部材１７には伸縮門扉５の他端部５ｂを連結する連結部２５が設けてあり、連結部２５では伸縮門扉５の他端部５ｂを垂直軸周りに回動可能に連結している。
伸縮門扉５は隣合う左右の扉部分６を軸部１２により相互に垂直軸周りに回動自在に連結してあり、縮めたときには隣合う扉部分６が重なって門柱３の収納空間１１内に納められている。
伸縮門扉５の一端部５ａには移動支柱２７が連結されており、移動支柱２７の下端にはキャスタ２９が設けてあり、門の出入口１３を開閉方向に移動自在である。また、移動支柱２７の下部には落し棒３３が取り付けてあり所定位置で固定できるようになっている。
伸縮門扉５の一端部５ａには移動支柱２７が回転自在に軸着されており、移動支柱２７には子扉３１が回転自在に軸着してあり、子扉３１に開き門扉７の門柱側竪框７ａが軸着されている。即ち、開き門扉７は伸縮門扉５の一端部５ａに対して回転自在であり、本実施の形態では、伸縮門扉５の一端部５ａと開き門扉７との間に移動支柱２７と子扉３１とが設けてある。
子扉３１の幅ｗは、開き門扉７の幅Ｗの略半分の寸法を有している。
伸縮門扉５を縮めて門柱３の内部に収納して開き門扉７を伸縮門扉５の伸縮方向と略直角の位置に回転した状態において（図１（ｂ））、伸縮門扉５の道路側と家側との間の中心位置ｇと、開き門扉７の道路側と家側との間の中心位置Ｇとが略一致する位置に開き門扉７を伸縮門扉５に対して軸着してある。
開き門扉７には、門柱側竪框７ｂに引手１４が設けてある。引手１４の回転操作により鍵３５を操作するようになっている。
開き門扉７の下端にはキャスタ３４が設けてある。また、開き門扉７の支柱側竪框７ｂには鍵３５が設けられている。
支柱９は、門柱３の開口部１５側で門柱３と所定間隔を隔てて設けてあり、門柱３と支柱との間に門の出入口を形成している。支柱９には、開き門扉７の鍵３５を受ける鍵受け３７が設けてある。
【００１４】
次に、本実施の形態にかかる門装置１の作用及び効果を説明する。
門の出入口１３を閉じるときには、図１（ｂ）に示すように伸縮門扉５を門柱３内に収納した状態から、門柱３の開口部１５を閉じている開き門扉７の鍵３５を鍵受け１８から外して、開口部１５を回転して開く。
そして、開き門扉７を移動支柱２７と共に支柱９側に引き出して移動支柱２７に連結してある伸縮門扉５を展開し、門の出入口１３を閉じた位置で移動支柱２７を落し棒３３で固定する。開き門扉７は鍵３５を支柱９の鍵受け３７に係合して袖門８を閉じる。
一方、門柱３内を移動自在に設けたある支持部材１７は、伸縮門扉５の引き出しに伴なって開口部１５側に移動して開口部１５を閉じる。
門の出入口１３を開けるときには、移動支柱２７の落し棒３３を外し、開き門扉７の鍵３５を支柱９の鍵受け３７から外した後、開き門扉７と移動支柱２７を門柱３側に移動する。伸縮門扉５は門柱３側に移動して縮みつつ支持部材１７も門柱３内のレール２１に沿って開口部１５から奥側に移動し、門柱３の収納空間１１に伸縮門扉５を縮めて収納する。縮めた伸縮門扉５を門柱３内に収納後、子扉３１を道路側に向けて略直角に回転した後、子扉３１に軸着してある開き門扉７を家側に向けて回転し、開き門扉７で門柱３の開口部１５を閉じる。そして、開き門扉７の鍵３３を門柱３の開口部１５に設けた鍵受け１８に係止する。
【００１５】
本実施の形態によれば、縮めた伸縮門扉５を門柱３内に収納して、開き門扉７を利用して門柱３の開口部１５を閉じているから、門柱３の開口部１５を閉じる扉を別に設けなくても門柱３の開口部１５を閉じることができる。
伸縮門扉５の道路側と家側との間の略中心位置ｇを門柱３内で支持してあり、開き門扉７は伸縮門扉５の伸縮方向と略直角な位置に回転した状態で道路側と家側との間の中心位置Ｇが伸縮門扉５の道路側と家側との間の中心位置ｇと略一致しているので、門の出入口１３を閉じるときに門柱３から伸縮門扉５や開き門扉７を引き出すときに伸縮門扉５や開き門扉７のふらつきを防止でき安定であるから、開き門扉７に設けた引手１４を持って門柱３から伸縮門扉５を容易に引き出して開き門扉７と共に展開できる。
開き門扉７の鍵３５は、門柱３の開口部１５に設けた鍵受け１８に係止して開口部１５を閉じるときと、支柱９の鍵受け３７に係止して袖門８を閉じるときとの両方に共通して用いることができ、鍵３５が一つで済むので、部品点数が少なくて済む。
伸縮門扉５の他端部５ｂを連結している支持部材１７は門柱３の収納空間１１内を開口部１５側に移動自在に設けているので、伸縮門扉５を展開して門の出入口１３を閉じたときには、支持部材１７と共に伸縮門扉５の他端部５ｂが門柱３の開口部１５に位置して門の出入口１３を閉じる。したがって、伸縮門扉５の長さは門の出入口１３の寸法分あればよく、従来技術のような門柱の収納空間内の寸法分を余計に必要としないので、安価である。
伸縮門扉５を展開して門の出入口１３を閉じるときには門柱３の開口部１５を支持部材１７が塞ぐので、伸縮門扉５の展開時における外観が良い。また、支持部材１７が開口部１７を塞ぐから門柱３の内部にゴミ等が入り難い。尚、本実施の形態では、支持部材１７は開口部１５において、上下に多少の隙間があいているが、かかる隙間があっても紙くずやビニール袋等のゴミが門柱３の内部に入り難い。
【００１６】
次に図４を参照して第２実施の形態について説明するが、以下の説明では、上述した第１実施の形態と同一の作用効果を奏する部分には同一の符号を付することによりその部分の詳細な説明を省略し、以下では、第１実施の形態と主に異なる点を説明する。図４は第２実施の形態にかかる門装置１の横断面図であり、（ａ）は伸縮門扉５を門柱３内に収納して門柱３の開口部１５を開き門扉７で閉じた状態を示し、（ｂ）は伸縮門扉５を門柱３内から引き出している状態を示し、（ｃ）は門装置１が門の出入口１３を閉じた状態を示したものである。
この第２実施の形態では、伸縮門扉５の他端部５ｂは門柱３内の支持部４２に連結して門柱３内に固定してあり、一端部５ａが平面視略Ｌ状を成して、Ｌ字の先端に設けた連結部４１に開き門扉７を水平軸回りに回転自在に軸着してある。尚、伸縮門扉５は水平パンタ式の伸縮門扉になっている。
【００１７】
この第２実施の形態によれば、上述した第１実施の形態と同様に、縮めた伸縮門扉５を門柱３内に収納して、開き門扉７を利用して門柱３の開口部１５を閉じているから、門柱３の開口部１５を閉じる扉を別に設けなくても門柱３の開口部１５を閉じることができる。開き門扉７の鍵３５は、門柱３の開口部１５に設けた鍵受け１８に係止して開口部１５を閉じるときと、支柱９の鍵受け３７に係止して袖門８を閉じるときとの両方に共通して用いることができ、鍵３５が一つで済むので、部品点数が少なくて済む。
また、第１実施の形態にある移動支柱２７や子扉３１を設けていないので、第１実施の形態よりも構成を簡単にできる。
【００１８】
図５は第３実施の形態にかかる門装置１の横断面図であり、（ａ）は伸縮門扉５を門柱３内に収納して門柱３の開口部１５を開き門扉７で閉じた状態を示し、（ｂ）は伸縮門扉５を門柱３内から引き出している状態を示し、（ｃ）は門装置１が門の出入口を閉じた状態を示したものである。
【００１９】
この第３実施の形態では、伸縮門扉５の一端部５ａに設けた連結部４１に開き門扉７の幅方向略中央部を軸着してあり、且つ開き門扉７が連結部４１の水平軸回りを回転自在に設けてある点が第２実施の形態と異なっている。
この第３実施の形態によれば、第２実施の形態と同様な作用効果を奏すると共に、伸縮門扉５の一端部５ａの構成を更に簡易にできる。
【００２０】
図６は第４実施の形態にかかる門装置１の横断面図であり、（ａ）は各伸縮門扉５を門柱３内に収納して門柱３の開口部１５を開き門扉７で閉じた状態を示し、（ｂ）は各伸縮門扉５を門柱３内から引き出している状態を示し、（ｃ）は門装置１が門の出入口を閉じた状態を示したものである。
【００２１】
この第４実施の形態では、門柱３の左右両側に各々支柱９、９が設けてあり、門柱の左右両側に各々門の出入口１３、１３が設けてある。即ち、この第４実施の形態は、一つの門柱３で左右にある２つの出入口１３、１３を開閉するようにしたものである。門柱３には対向する左右の側面に各々開口部１５、１５が設けてあり、門柱１内には縮んだ一方の伸縮門扉５と他方の伸縮門扉５とが左右隣合わせにして収められている。また、門柱１内には左右の開口部１５、１５間の略中央に支持部４２が設けてあり、支持部４２に一方の伸縮門扉５の他端部５ｂと、他方の伸縮門扉５の他端部５ｂとが各々連結されている。
この第４実施の形態によれば、第２実施の形態と同様な作用効果を奏すると共に、門柱１の隣り合う両側に門の出入口１３、１３がある場合に、各出入口１３、１３を閉鎖自在としている各伸縮門扉５、５を一つの門柱３内に収めているので、コンパクトな構成にできる。
【００２２】
図７及び図８は第５実施の形態にかかる門装置１の横断面図であり、図７（ａ）は各伸縮門扉５を門柱３内に収納して門柱３の開口部１５を開き門扉７で閉じた状態を示し、（ｂ）は各伸縮門扉５を門柱３内から引き出している状態を示し、図８は門装置１が門の出入口を閉じた状態を示したものである。
【００２３】
この第５実施の形態では、門柱３は一側面と、一側面と略直角を成す他側面とに各々開口部１５、１５が設けてあると共に、各開口部１５、１５と対向した位置に各々支柱９、９を設けたことが第４実施の形態と異なっている。即ち、この第５実施の形態は、略直角を成す位置に門の出入口１３、１３を設けてあり、各出入口１３、１３を伸縮門扉５、５と開き門扉７、７とで開閉するようにしたものである。門柱３内には縮んだ一方の伸縮門扉５と他方の伸縮門扉５とが伸縮方向を略直角方向に配置して各収納空間１１、１１内に収められており、各伸縮門扉５、５の他端部５ａ、５ａはそれぞれ別々の支持部４２に連結されている。
この第５実施の形態によれば、平面視略直角を成す両側に門の出入口１３、１３がある場合に、第４実施の形態と同様に、各出入口１３、１３を閉鎖自在としている伸縮門扉５、５を一つの門柱３内に収めることができ、コンパクトな構成にできる。
【００２４】
本発明は上述した実施の形態に限らず、本発明の要旨を逸脱しない範囲で種々変形自在である。例えば、図９に示すように、開き門扉７は門柱３の開口部１５よりも外側に位置して開口部１５を塞ぐものであってもよい。
第５実施の形態において、門柱３は、図１０に示すように、門柱３の横断面が略Ｌ字を成すように形成されているものであってもよい。
第１〜第３実施の形態において、図１１に示すように、例えば、門柱３の背面（支持部４２側）に塀４６等がある場合に、門柱３の背面側の壁面は無くともよい。
【図面の簡単な説明】
【００２５】
【図１】（ａ）は第１実施の形態にかかる門装置の横断面図であり、（ｂ）は伸縮門扉を門柱内に収納した状態における門柱の横断面図である。
【図２】図１（ａ）のＡ−Ａ断面図である。
【図３】図１（ｂ）のＢ−Ｂ断面図である。
【図４】第２実施の形態にかかる門装置の横断面図であり、（ａ）は伸縮門扉を門柱内に収納して門柱の開口部を開き門扉で閉じた状態を示し、（ｂ）は伸縮門扉を門柱内から引き出している状態を示し、（ｃ）は門装置が門の出入口を閉じた状態を示したものである。
【図５】第３実施の形態にかかる門装置の横断面図であり、（ａ）は伸縮門扉を門柱内に収納して門柱の開口部を開き門扉で閉じた状態を示し、（ｂ）は伸縮門扉を門柱内から引き出している状態を示し、（ｃ）は門装置が門の出入口を閉じた状態を示したものである。
【図６】第４実施の形態にかかる門装置の横断面図であり、（ａ）は各伸縮門扉を門柱内に収納して門柱の開口部を開き門扉で閉じた状態を示し、（ｂ）は各伸縮門扉を門柱内から引き出している状態を示し、（ｃ）は門装置が門の出入口を閉じた状態を示したものである。
【図７】第５実施の形態にかかる門装置の横断面図であり、（ａ）は各伸縮門扉を門柱内に収納して門柱の開口部を開き門扉で閉じた状態を示し、（ｂ）は各伸縮門扉を門柱内から引き出している状態を示したものである。
【図８】第５実施の形態にかかる門装置が門の出入口を閉じた状態を示した横断面図である。
【図９】本発明の変形例にかかる門装置であって、伸縮門扉を門柱内に収納して門柱の開口部を開き門扉で閉じた状態を示す横断面図である。
【図１０】本発明の変形例にかかる門装置であって、伸縮門扉を門柱内に収納して門柱の開口部を開き門扉で閉じた状態を示す横断面図である。
【図１１】本発明の変形例にかかる門装置であって、伸縮門扉を門柱内に収納して門柱の開口部を開き門扉で閉じた状態を示す横断面図である。
【符号の説明】
【００２６】
１      門装置
３      門柱
５      伸縮門扉
５ａ    一端部
５ｂ    他端部
７      開き門扉
９      支柱
１１    収納空間
１４    引手
１５    開口部
１７    支持部材
１８    鍵受け
３５    鍵
３７    鍵受け
【図１】
2005336991.tif 000003
【図２】
2005336991.tif 000004
【図３】
2005336991.tif 000005
【図４】
2005336991.tif 000006
【図５】
2005336991.tif 000007
【図６】
2005336991.tif 000008
【図７】
2005336991.tif 000009
【図８】
2005336991.tif 000010
【図９】
2005336991.tif 000011
【図１０】
2005336991.tif 000012
【図１１】
2005336991.tif 000013